(57)【要約】【課題】バッテリのメンテナンス作業を安全に、かつ効率的に行えるバッテリ横引出し式フォークリフトのバッテリ収納構造を提供することを目的とする。【解決手段】車体フレーム１の前後略中央位置に一方の側面を開口させて設けた外ケース１１に対し、内部に複数のバッテリセルを搭載する内ケース１２を水平方向に移動可能に収納するバッテリ収納構造であって、内ケース１２を外ケース１１から引き出す際の引出量を所定量以内に制限する制限手段を備える。ここで制限手段は、一辺１５が上記外ケース１１に上下に揺動自在に取り付けられると共に、該一辺１５から他辺１７が外ケース１１の開口部側へ略直角に折曲して形成されたＬ字部材１４とする。【選択図】　　　図２
2004106946.tif 000002
【特許請求の範囲】
【請求項１】
車体フレームの前後略中央位置に一方の側面を開口させて設けた外ケースに対し、内部に複数のバッテリセルを搭載する内ケースを水平方向に移動可能に収納するバッテリ収納構造であって、上記内ケースを上記外ケースから引き出す際の引出量を所定量に、或いは所定量以内に制限する制限手段を備えたことを特徴とするバッテリ横引出し式フォークリフトのバッテリ収納構造。
【請求項２】
上記制限手段が、一辺が上記外ケースに上下に揺動自在に取り付けられると共に、該一辺から他辺が上記外ケースの開口部側へ略直角に折曲して形成されたＬ字部材であり、上記一辺を上方へ揺動させるのに伴なって、上記他辺が上記所定量に相当する距離だけ上記内ケースの外側面から離間するようになされていることを特徴とする請求項１に記載のバッテリ横引出し式フォークリフトのバッテリ収納構造。
【請求項３】
上記制限手段が、一端が上記内ケースに固定されると共に他端が上記外ケースに固定され、上記内ケースを上記外ケースから上記所定量引き出した状態で弛みなく張られるように、所定長さを有したチェーン又はワイヤロープであることを特徴とする請求項１に記載のバッテリ横引出し式フォークリフトのバッテリ収納構造。
【請求項４】
上記制限手段が、上記内ケースに設けた嵌合部と該嵌合部に挿抜可能に嵌合される係止手段とを備え、上記係止手段が、上記内ケースを上記外ケースから上記所定量引き出した状態で、上記外ケースに設けられた貫通孔を通して上記嵌合部に嵌合されることを特徴とする請求項１に記載のバッテリ横引出し式フォークリフトのバッテリ収納構造。
【発明の詳細な説明】
【０００１】
【発明の属する技術分野】
本発明は、バッテリ横引出し式フォークリフトのバッテリ収納構造、特に、バッテリのメンテナンス作業を効率的に行うための技術に関する。
【０００２】
【従来の技術】
従来、バッテリフォークリフトにおいては、座席下等に設けられた空間に複数のバッテリセルが収納されたケースが搭載されるようになっている。この際、例えば車体フレームに一体的に形成した外ケースと、当該外ケースから水平方向に移動可能な内ケースとからなる、いわゆるバッテリ横引出し式の構成とされたものがあり、この構成によれば、内ケースを外ケースの側方から外ケースに収納したり、側方から内ケースを引き出したりすることが可能である。
【０００３】
そして、外ケースに内ケースが完全に収納された状態で内ケースが外ケースから抜脱しないようにする必要があることから、例えば下記文献に示すようなストッパが外ケースの側方に設けられ、収納された内ケースの横移動を規制するようになされている。
【０００４】
【文献１】特開２０００−２１９０９３号公報（第３頁、図４−５）
【文献２】実開昭６０−１１４５０１号公報（第１頁、図１）
【０００５】
【発明が解決しようとする課題】
ところで、従来、バッテリセルに対して液量チェック・補水等のメンテナンス作業を行う場合、ストッパによる規制を解除し外ケースから内ケースを完全に引き出して作業が行われるが、この際には引き出された内ケースを支持するバッテリキャリアやバッテリテーブル等を用いる必要がある。しかしながら、内ケースを完全に引き出さなくともメンテナンス作業を行うことができる場合に、いちいちバッテリキャリアやバッテリテーブルを準備することは、非常に手間がかかり非効率的である上、作業者にとって大きな負担となるものである。
【０００６】
本発明は、上記の事情に基づいて提案されたものであって、バッテリのメンテナンス作業を安全に、かつ効率的に行えるバッテリ横引出し式フォークリフトのバッテリ収納構造を提供することを目的とする。
【０００７】
【課題を解決するための手段】
上記目的を達成するために、本発明に係るバッテリ横引出し式フォークリフトのバッテリ収納構造は、車体フレームの前後略中央位置に一方の側面を開口させて設けた外ケースに対し、内部に複数のバッテリセルを搭載する内ケースを水平方向に移動可能に収納するバッテリ収納構造であって、上記内ケースを上記外ケースから引き出す際の引出量を所定量に、或いは所定量以内に制限する制限手段を備えた構成としている。
【０００８】
上記の構成において、制限手段により内ケースの引出量を所定量に制限すれば、内ケースが外ケースから所定量引き出された状態で保持されることになり、制限手段により内ケースの引出量を所定量以内に制限すれば、当該所定量を超えない範囲でのみ内ケースを外ケースから引き出すことが可能となる。従って、バッテリのメンテナンス作業時に内ケースを完全に引き出す必要がない場合には、制限手段によりメンテナンス作業に必要な引出量のみ、又は必要な引出量以下で内ケースが引き出されるようにすることで、内ケースが外ケースから抜脱する心配なく、効率よくメンテナンス作業を行うことができるようになる。なお、本発明は、カウンタバランス型やリーチ型など各種バッテリフォークリフトに適用することができる。
【０００９】
本発明において制限手段は、一辺が上記外ケースに上下に揺動自在に取り付けられると共に、該一辺から他辺が上記外ケースの開口部側へ略直角に折曲して形成されたＬ字部材とし、上記一辺を上方へ揺動させるのに伴なって、上記他辺が上記所定量に相当する距離だけ上記内ケースの外側面から離間するように構成することができる。
【００１０】
また、上記制限手段は、一端が上記内ケースに固定されると共に他端が上記外ケースに固定され、上記内ケースを上記外ケースから上記所定量引き出した状態で弛みなく張られるように、所定長さを有したチェーン又はワイヤロープで構成することができる。
【００１１】
また更に、上記制限手段を、上記内ケースに設けた嵌合部と該嵌合部に挿抜可能に嵌合される係止手段とを備えるものとし、上記係止手段が、上記内ケースを上記外ケースから上記所定量引き出した状態で、上記外ケースに設けられた貫通孔を通して上記嵌合部に嵌合されるようにすることができる。
【００１２】
【発明の実施の形態】
以下、本発明の実施の形態を図面にしたがって詳細に説明する。
【００１３】
（第１の実施の形態）
図１に示すように、この実施の形態に係るカウンタバランス型バッテリフォークリフトは、車体フレーム１の前部にマスト２がティルト動作可能に支持され、このマスト２にリフトブラケット３が昇降可能に支持され、このリフトブラケット３にフォーク４が固定支持されている。マスト２は車体フレーム１に支持されたアウタマストと、このアウタマストに案内されて昇降するインナマストとを有し、このアウタマストと車体フレーム１との間に設けられたティルトシリンダ５により駆動されることでマスト２全体がティルト動作し、マスト２に設けられたリフトシリンダ６が伸縮することによりインナマストが昇降するようになっている。又、インナマストの上部にはチェーンローラ７が回転自在に支持され、このチェーンローラ７に逆Ｕ字形に巻掛けたチェーンの一端をアウタマストに連結し、他端をリフトブラケット３に連結することにより、リフトブラケット３及びフォーク４が昇降するようにしている。
【００１４】
車体フレーム１の前部には駆動輪としての左右のフロントホイール９が懸架され、後部には操舵輪としての左右のリヤホイール１０が懸架され、これら４輪で車体フレーム１を路面（床面）に支持させると共に、フロントホイール９が図示しない走行モータで駆動されることにより走行し、リヤホイール１０が図示しないステアリングモータで駆動されることにより操舵がなされる。又、車体フレーム１の中央部には一方の側面を開口させて外ケース１１が設けられ、この外ケース１１内に複数のバッテリセルが収納された内ケース１２が収納されるようになっている。尚、図１中の１３は、外ケース１１の上面に取付けられた座席である。
【００１５】
第１の実施の形態に係る制限手段はＬ字状ストッパ１４であり、図２に示すように、このＬ字状ストッパ１４の一辺１５は、回動軸１６を中心に上下方向に揺動できるように外ケース１１の前側面に取り付けられている。一方、Ｌ字状ストッパ１４の他辺１７は、外ケース１１の開口部側へ直角に折曲して形成されており、上記一辺１５が水平とされたときに、内ケース１２の外側面から所定量だけ離間した位置となるようになされている。
【００１６】
図２に示すように、内ケース１２が外ケース１１に完全に収納されている時には、Ｌ字状ストッパ１４は自重で下方に揺動し、他辺１７は内ケース１２の外側面に当接した状態となる。この状態から内ケース１２を引き出すと、他辺１７が内ケース１２の外側面に沿って上方に押し上げられるようになり、一辺１５が上方へ揺動することでＬ字状ストッパ１４全体が上方へと移動する。更に内ケース１２を引き出し、図３に示すように、一辺１５が水平となるまでＬ字状ストッパ１４が移動すると、このときの内ケース１２の引出量は上記所定量となり、当該所定量を超えて内ケース１２を引き出そうとしても、他辺１７により制限されることとなる。そして、このような状態とした上で、例えば補水タンクＴにより内ケース１２に収納されたバッテリセルに対し水を補給するといったバッテリのメンテナンス作業を行うことができる。
【００１７】
このように、第１の実施の形態に係る構成によれば、Ｌ字状ストッパ１４によって内ケース１２の引出量が上記所定量以内に制限されるので内ケース１２が外ケース１１から抜脱する心配がなく、バッテリキャリアやバッテリテーブルを用いなくても、内ケース１２を途中まで引き出した状態で安全にバッテリのメンテナンス作業を行うことができる。
【００１８】
尚、バッテリ交換時などには外ケース１１から内ケース１２を完全に引き出す必要があることから、他辺１７が内ケース１２の外側面に当接しないよう、内ケース１２の上端より上方にまでＬ字状ストッパ１４が揺動できるように構成するか、Ｌ字状ストッパ１４を比較的簡単に取付け・取外しできるように構成しておかなければならない。
【００１９】
なお、上記Ｌ字状ストッパ１４は、外ケース１１の前後両側面にそれぞれ設けるなど複数設けてもよく、この場合に一辺１５が水平とされたときに、内ケース１２の外側面から他辺１７が離間する距離がそれぞれ異なるようにしておけば、数通りに内ケース１２の水平移動を制限できるようになる。
【００２０】
（第２の実施の形態）
図４に示すように、第２の実施の形態に係る制限手段はチェーン１８であり、このチェーン１８は、一端が外ケース１１の前側面に設けられたチェーン取付部１９に取り付けられ、他端が内ケース１２のの外側面に設けられたチェーン取付部２０に取り付けられている。ここで、チェーン取付部２０はフック状に形成されており、チェーン１８を着脱できる構成とされている。又、チェーン１８は、内ケース１２を所定量だけ引き出した状態で、弛みなく張られた状態となるよう、その長さが設定されている。尚、この実施の形態に係るカウンタバランス型バッテリフォークリフトの全体構成は第１の実施の形態と同様である。
【００２１】
図４に示すように、内ケース１２が外ケース１１に完全に収納されている時には、チェーン１８は外ケース１１と内ケース１２とを弛んだ状態で連結してている。この状態から内ケース１２を引き出すと、徐々にチェーン１８が張られて弛みがなくなって行く。図５に示すように、完全に弛みがなくなるまで内ケース１２を引き出すと、内ケース１２は外ケース１１から上記所定量だけ引き出された状態となり、当該所定量を超えて内ケース１２引き出そうとしてもチェーン１８により制限されることとなる。そして、このような状態とした上で、例えば補水タンクＴにより内ケース１２に収納されたバッテリセルに対し水を補給するといったバッテリのメンテナンス作業を行うことができる。
【００２２】
このように、第２の実施の形態に係る構成によれば、チェーン１８によって内ケース１２の引出量が上記所定量以内に制限されるので内ケース１２が外ケース１１から抜脱する心配がなく、バッテリキャリアやバッテリテーブルを用いなくても、内ケース１２を途中まで引き出した状態で安全にバッテリのメンテナンス作業を行うことができる。
【００２３】
また、バッテリ交換時など外ケース１１から内ケース１２を完全に引き出す場合には、内ケース１２のチェーン取付部２０からチェーン１８を取り外した上で、内ケース１２を引き出せばよい。なお、チェーン１８に代えて、バッテリセルを収納した内ケース１２の重量に抗することのできる強度を有するワイヤロープなどを用いてもよい。
【００２４】
（第３の実施の形態）
図６に示すように、第３の実施の形態に係る制限手段は、内ケース１２の前側面の上端位置に形成された切欠状の嵌合部２４と、この嵌合部２４に嵌合される係止手段としての固定ピン２２とで構成されている。また、外ケース１１上面には、貫通孔２１が設けられており、この貫通孔２１を通して嵌合部２４に固定ピン２２を嵌合させるようになっている。ここで、上記嵌合部２４は、内ケース１２を外ケース１１から所定量だけ引き出した状態で、貫通孔２１の直下に位置するよう配置されている。また、内ケース１２の前側面の上端位置には上記嵌合部２４とは別に切欠状の嵌合部２３が形成されており、この嵌合部２３は、内ケース１２を外ケース１１に完全に収納した状態で、貫通孔２１の直下に位置するよう配置されている。尚、この実施の形態に係るカウンタバランス型バッテリフォークリフトの全体構成は第１の実施の形態と同様である。
【００２５】
内ケース１２が外ケース１１に完全に収納されている時には、固定ピン２２を貫通孔２１を通して嵌合部２３に嵌合させることにより、内ケース１２が固定されてその移動が制限される。この状態から固定ピン２２を上方に持ち上げ、嵌合部２３から抜脱することにより、内ケース１２は引出し可能となる。そして、内ケース１２を引き出し、嵌合部２４が貫通孔２１の直下の位置に達したときに、固定ピン２２を貫通孔２１を通して嵌合部２４に嵌合すると、内ケース１２が外ケース１１から上記所定量だけ引き出された状態で固定される。そして、このような状態とした上で、例えば補水タンクにより内ケース１２に収納されたバッテリセルに対し水を補給するといったバッテリのメンテナンス作業を行うことができる。
【００２６】
このように、第３の実施の形態に係る構成によれば、固定ピン２２が嵌合部２４に嵌合されることにより内ケース１２が上記所定量引き出された状態で固定されるので内ケース１２が抜脱する心配がなく、バッテリキャリアやバッテリテーブルを用いなくても、内ケース１２を途中まで引き出した状態で安全にバッテリのメンテナンス作業を行うことができる。また、バッテリ交換時など、外ケース１１から内ケース１２を完全に引き出す場合は、固定ピン２２を上方に持ち上げて嵌合部２３から抜脱した後、嵌合部２４に嵌合させることなく、内ケース１２を引き出せばよい。
【００２７】
なお、固定ピン２２と外ケース１１との間にバネを介設させて、固定ピン２２が下方に付勢されるようにし、この付勢力により嵌合部２３、２４との嵌合が保持されるように構成してもよい。
【００２８】
また、図７に示すように、嵌合部２４の内ケース１２の移動方向外側を向いた面を内ケース１２の移動方向に傾斜した面に形成するとともに、固定ピン２２の嵌合部２４に嵌合される先端部分を当該傾斜面に対してスライド容易な形状（例えば丸みを持った形状）としてもよい。これにより、固定ピン２２が嵌合部２４の内ケース１２の移動方向内側を向いた面と当接することにより、内ケース１２が外ケース１１から引き出されることが制限される一方、この状態から内ケース１２を移動方向内側へ押し込むと、上記傾斜面に沿って固定ピン２２がスライドすることによって固定ピン２２が持ち上がり、固定ピン２２と嵌合部２４との嵌合が解かれるようになる。つまり、作業者が直接固定ピン２２を持ち上げなくとも、固定ピン２２を嵌合部２４から抜脱することができるので、作業をより簡単に行えるようになる。
【００２９】
上記の各実施の形態は、本発明をカウンタバランス型フォークリフトに適用したものであるが、本発明はこれに限らずリーチ型など他のバッテリフォークリフトに適用することもでき、その際にも同様の作用・効果を得ることができる。
【００３０】
【発明の効果】
以上のように、本発明によると、バッテリキャリアまたはバッテリテーブルを用いることなく、内ケースを外ケースから所定量だけ引き出して安全にバッテリのメンテナンス作業を行うことができるため、メンテナンス作業を効率的に行うことができる。
【図面の簡単な説明】
【図１】バッテリ横引出し式のカウンタバランス型フォークリフトを示す側面図である。
【図２】第１の実施の形態に係るバッテリ収納構造の概略斜視図である。
【図３】第１の実施の形態に係るメンテナンス作業状態を示す概略斜視図である。
【図４】第２の実施の形態に係るバッテリ収納構造の概略斜視図である。
【図５】第２の実施の形態に係るメンテナンス作業状態を示す概略斜視図である。
【図６】第３の実施の形態に係るバッテリ収納構造の概略斜視図である。
【図７】第３の実施の形態に係るバッテリ収納構造の概略断面図である。
【符号の説明】
１　車体フレーム
１１　内ケース
１２　外ケース
１４　Ｌ字状ストッパ
１８　チェーン
２１　貫通孔
２２　固定ピン
２４　嵌合部
【図１】
2004106946.tif 000003
【図２】
2004106946.tif 000004
【図３】
2004106946.tif 000005
【図４】
2004106946.tif 000006
【図５】
2004106946.tif 000007
【図６】
2004106946.tif 000008
【図７】
2004106946.tif 000009